(57)【要約】【課題】複雑な構造を有することなく、また、手間がかかることなく、タープそれ自体の広さを変えることが可能なタープを提供する。【解決手段】タープは、主タープ（１１０）と、主タープの外側に配置された補助タープ（１２０）とを有する。タープは、主タープに設けられ、主タープに出入口を形成する第一のチャック（１４０）と、第一のチャックと対向して補助タープに設けられた第二のチャック（１５０）と、を備えており、第二のチャックを開閉することにより、補助タープを横方向に広げ、または、狭めることができる。【選択図】図２
2008057273.tif 000002
【特許請求の範囲】
【請求項１】
主タープと、前記主タープの外側に配置された補助タープとを有するタープであって、
前記主タープに設けられ、前記主タープに出入口を形成する第一のファスナー機構と、
前記第一のファスナー機構と対向して前記補助タープに設けられた第二のファスナー機構と、
を備え、
前記第二のファスナー機構を開閉することにより、前記補助タープを広げ、または、狭めることができるタープ。
【請求項２】
前記第二のファスナー機構は、前記補助タープの下端から前記補助タープの全高のほぼ半分の高さにわたって設けられていることを特徴とする請求項１に記載のタープ。
【請求項３】
前記補助タープの四隅の少なくとも何れか一つには第三のファスナー機構が設けられており、前記第三のファスナー機構は前記補助タープの下端から前記補助タープの頂点にわたって設けられていることを特徴とする請求項１または２に記載のタープ。
【発明の詳細な説明】
【技術分野】
【０００１】
本発明はタープ（キャンプなどで用いるテント状の日除け）に関する。
【背景技術】
【０００２】
これまでに種々のタープが提案されている。
【０００３】
例えば、実開昭６３−１０１６５１号公報（特許文献１）には、テントを構成するひさし本体に対して補助ひさしを追加することにより、テントそのものの占有面積を拡大することができるテントが提案されている。
【０００４】
また、特開平１０−２０３１７６号公報（特許文献２）には、自動車用カバーと兼用することができるタープが提案されている。
【特許文献１】実開昭６３−１０１６５１号公報
【特許文献２】特開平１０−２０３１７６号公報
【発明の開示】
【発明が解決しようとする課題】
【０００５】
特許文献１に記載されたテントによれば、補助ひさしを追加することにより、テントの面積を拡大することが可能であるが、補助ひさしを常に携行する必要があること、補助ひさしの取り付け・取り外しに手間がかかること、などの問題点があった。
【０００６】
また、特許文献２に記載されたタープは自動車用カバーと日除け用タープとの２種類に使用することが可能であるが、タープとして使用する場合には、その占有面積が一定であり、増加させることは不可能であるという問題点があった。
【０００７】
本発明は以上のような従来のタープにおける問題点に鑑みてなされたものであり、複雑な構造を有することなく、また、手間がかかることなく、タープそれ自体の広さを変えることが可能なタープを提供することを目的とする。
【課題を解決するための手段】
【０００８】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【０００９】
上記の目的を達成するため、本発明は、主タープ（１１０）と、前記主タープ（１１０）の外側に配置された補助タープ（１２０）とを有するタープ（１００）であって、前記主タープ（１１０）に設けられ、前記主タープ（１１０）に出入口を形成する第一のファスナー機構（１４０）と、前記第一のファスナー機構（１４０）と対向して前記補助タープ（１２０）に設けられた第二のファスナー機構（１５０）と、を備え、前記第二のファスナー機構（１５０）を開閉することにより、前記補助タープ（１２０）を広げ、または、狭めることができるタープ（１００）を提供する。
【００１０】
前記第二のファスナー機構（１５０）は、前記補助タープ（１２０）の下端から前記補助タープ（１２０）の全高のほぼ半分の高さにわたって設けられていることが好ましい。
【００１１】
前記補助タープ（１２０）の四隅の少なくとも何れか一つには第三のファスナー機構（１６０）が設けられており、前記第三のファスナー機構（１６０）は前記補助タープ（１２０）の下端から前記補助タープ（１２０）の頂点にわたって設けられていることが好ましい。
【発明の効果】
【００１２】
本発明に係るタープによれば、主タープに出入口を形成する第一のチャック機構とは別個に補助タープに第二のチャック機構を設けたため、第二のチャック機構を開けることにより、補助タープを横方向に広げることができ、あるいは、第二のチャック機構を閉じることにより、補助タープを横方向に狭めることができる。
【００１３】
このように、第二のチャック機構の開閉に応じて、補助タープを横方向において広げたり、狭めたりすることが可能である。このため、補助タープを使用するユーザーの人数に応じて、補助タープの広さを調節することが可能である。
【００１４】
また、第三のチャック機構を開けると、第三のチャック機構は補助タープの頂点まで設けられているため、補助タープがその頂点から扇状に大きく開き、その結果として、補助タープを横方向に大きく広げることができる。
【発明を実施するための最良の形態】
【００１５】
図１は、本発明の一実施形態に係るタープ１００の正面図である。
【００１６】
本実施形態に係るタープ１００は、主タープ１１０と、主タープ１１０の外側に配置された補助タープ１２０と、を備えている。なお、図１においては、主タープ１１０は補助タープ１２０の中に隠れているため、現われていない。
【００１７】
補助タープ１２０は防水性生地からなり、複数個のワイヤー１３０により、テント形状をなすように、地面に対して固定されている。
【００１８】
主タープ１１０には、主タープ１１０に出入口を形成する第一のファスナー機構としての第一のチャック１４０（図２参照）が設けられている。
【００１９】
補助タープ１２０には、第一のチャック１４０と対向して、図１に示すように、第二のファスナー機構としての第二のチャック１５０が設けられている。
【００２０】
第二のチャック１５０は、図１に示すように、補助タープ１２０の下端から補助タープ１２０の全高のほぼ半分の高さにわたって設けられている。
【００２１】
また、補助タープ１２０の四隅には第三のファスナー機構としての第三のチャック１６０が設けられている。第三のチャック１６０は補助タープ１２０の下端から補助タープ１２０の頂点にわたって設けられている。
【００２２】
なお、補助タープ１２０に隠れている主タープ１１０は補助タープ１２０の正面のみをカバーしており、補助タープ１２０の両サイド（図１の左右両側）まではカバーしていない。
【００２３】
図２は、本実施形態に係るタープ１００の使用方法を示す部分的な正面図である。
【００２４】
以下、図２を参照して、本実施形態に係るタープ１００の使用方法を説明する。
【００２５】
図２（Ａ）に示すように、当初の状態においては、補助タープ１２０の第二のチャック１５０は閉じられている。
【００２６】
補助タープ１２０の第二のチャック１５０を開けると、図２（Ｂ）に示すように、主タープ１１０及び第一のチャック１４０が現われる。この状態では、第一のチャック１４０は閉じられている。
【００２７】
補助タープ１２０の第二のチャック１５０を開けることにより、図２（Ｂ）に示すように、補助タープ１２０は横方向に広がることが可能になり、その結果として、補助タープ１２０の広さを広げることができる。逆に、補助タープ１２０の第二のチャック１５０を閉じることにより、補助タープ１２０は横方向に狭まり、その結果として、補助タープ１２０の広さは小さくなる。
【００２８】
なお、補助タープ１２０の第二のチャック１５０は補助タープ１２０の内側から開けることも可能であるようになっている（この場合には、主タープ１１０の第一のチャック１４０は開けられている）。
【００２９】
次いで、図２（Ｃ）に示すように、主タープ１１０の第一のチャック１４０を開けると、主タープ１１０に出入口が形成され、ユーザーは主タープ１１０の中に入ることができるようになる。
【００３０】
なお、主タープ１１０の出入口を形成している部分はユーザーの出入りの邪魔になることがあるため、図２（Ｃ）に示すように、一方の側（図２（Ｃ）では右側）に束ねておくことが可能である。
【００３１】
図３は、補助タープ１２０の四隅に設けられている第三のチャック１６０の一つを開けた場合の補助タープ１２０の状態を示す部分的な斜視図である。
【００３２】
図３に示すように、第三のチャック１６０を開けると、第三のチャック１６０は補助タープ１２０の頂点まで設けられているため、補助タープ１２０が大きく開き、その結果として、補助タープ１２０を横方向に広げることができる。
【００３３】
なお、補助タープ１２０の内側にある主タープ１１０は補助タープ１２０の正面部分のみをカバーし、補助タープ１２０のサイド部分はカバーしていないので、第三のチャック１６０を開けた場合に、主タープ１１０が現われることはない。
【００３４】
また、図３に示すように、補助タープ１２０のサイドの部分１２１には適当な支持枠１７０を取り付けることが可能である。
【００３５】
なお、第三のチャック１６０を開ける場合には、補助タープ１２０のサイドの部分１２１に取り付けられているワイヤー１３０は予め外しておく。
【００３６】
さらに、補助タープ１２０の内部においては、適当な複数の位置の間に紐（ロープ）を繋げておき、このロープに補助タープ１２０とは別個の小テントを吊るすことも可能である。
【００３７】
以上のように、本実施形態に係るタープ１００によれば、主タープ１１０に出入口を形成する第一のチャック１４０とは別個に補助タープ１２０に第二のチャック１５０を設けたため、第二のチャック１５０を開けることにより、補助タープ１２０を横方向に広げることができ、あるいは、第二のチャック１５０を閉じることにより、補助タープ１２０を横方向に狭めることができる。
【００３８】
このように、第二のチャック１５０の開閉に応じて、補助タープ１２０を広げたり、狭めたりすることが可能である。このため、ユーザーの人数に応じて、補助タープ１２０の大きさを調節することができる。
【００３９】
また、第三のチャック１６０を開けると、第三のチャック１６０は補助タープ１２０の頂点まで設けられているため、補助タープ１２０が大きく開き、その結果として、補助タープ１２０を横方向に大きく広げることができる。
【００４０】
なお、本実施形態に係るタープ１００においては、第二のチャック１５０は補助タープ１２０の下端から補助タープ１２０の全高のほぼ半分の高さにわたって設けられているが、第二のチャック１５０の長さはそれには限定されない。例えば、第二のチャック１５０は補助タープ１２０の下端から補助タープ１２０の頂点にわたって設けることも可能である。必要に応じて、第二のチャック１５０の長さを変えることが可能である。
【００４１】
さらに、本実施形態に係るタープ１００においては、補助タープ１２０の四隅に設けられている第三のチャック１６０は補助タープ１２０の下端から補助タープ１２０の頂点にわたって設けられているが、第三のチャック１６０の長さはそれには限定されない。例えば、第三のチャック１６０は補助タープ１２０の下端から補助タープ１２０の全高の半分程度までの長さにすることも可能である。必要に応じて、第三のチャック１６０の長さを変えることが可能である。
【００４２】
また、本実施形態に係るタープ１００においては、第三のチャック１６０は補助タープ１２０の四隅に設けられているが、第三のチャック１６０を補助タープ１２０の四隅に設けることは必ずしも必要ではない。例えば、補助タープ１２０の四隅の何れか一つにのみ第三のチャック１６０を設けてもよく、あるいは、補助タープ１２０の四隅のうち対角線上にある二つの隅に設けることも可能である。
【００４３】
また、本実施形態においては、第一、第二及び第三のファスナー機構として第一、第二及び第三のチャック１４０、１５０、１６０を使用したが、第一、第二及び第三のファスナー機構はチャックには限定されない。例えば、第一、第二及び第三のファスナー機構として、フックとリング（または孔）との組み合わせ、ボタンと孔との組み合わせ、面ファスナーなどの任意の解除可能な結合手段を用いることができる。
【図面の簡単な説明】
【００４４】
【図１】本発明の一実施形態に係るタープの正面図である。
【図２】本発明の一実施形態に係るタープの使用方法を示す部分的な正面図である。
【図３】補助タープの四隅に設けられている第三のチャック機構の一つを開けた場合の補助タープの状態を示す部分的な斜視図である。
【符号の説明】
【００４５】
１００  本発明の一実施形態に係るタープ
１１０  主タープ
１２０  補助タープ
１２１  補助タープのサイド部分
１３０  ワイヤー
１４０  第一のチャック
１５０  第二のチャック
１６０  第三のチャック
１７０  支持枠
【図１】
2008057273.tif 000003
【図２】
2008057273.tif 000004
【図３】
2008057273.tif 000005